(57)【要約】      （修正有）【課題】左右の足が使用者から見て「ハ」の字形に開くように、左右の足の親指同士を接近させることのできると共に、使用者から見て「Ｖ」の字形に開くように、左右の足のかかと同士を接近させることもできるような骨盤・脊椎骨の矯正装置を提供する。【解決手段】この矯正装置は、台座（２）と、この台座（２）の上でスライド可能な足置き台（３）と、この足置き台（３）の位置と角度を制御するための調節部材（４）からなる。前記台座（２）は、水平部分と垂直部分からなる。前記水平部分には前記足置き台（３）がスライド可能な水平レールが設けられ、前記垂直部分にも垂直レールが設けられている。この垂直レールには、前記調節部材（４）が移動できる長穴（２６）が設けられている。【選択図】図４
2019150420.tif 000002
【特許請求の範囲】
【請求項１】
左右の足が使用者から見て「ハ」の字形に開くように、左右の足の親指同士を接近させることのできると共に、使用者から見て「Ｖ」の字形に開くように、左右の足のかかと同士を接近させることのできる接近手段と、
前記接近手段を前記「ハ」の字形及び前記「Ｖ」の字形の位置において選択的に仮固定することのできる手段
を有することを特徴とする、骨盤・脊椎骨の矯正装置（１）。
【請求項２】
請求項１記載の矯正装置（１）であって、
台座（２）と、この台座（２）の上でスライド可能な足置き台（３）と、この足置き台（３）の位置と角度を制御するための調節部材（４）からなり、
前記台座（２）は、水平部分（２１）と垂直部分（２２）からなり、
前記水平部分（２１）には前記足置き台（３）がスライド可能な水平レール（２３）が設けられ、前記垂直部分（２２）にも垂直レール（２５）が設けられており、この垂直レールには、前記調節部材（４）が移動できる長穴（２６）が設けられている装置。
【請求項３】
請求項１又は２記載の装置であって、前記足置き台（３）の位置及び角度を確実に固定するための付属品として、さらに前記足置き台（３）に装着可能な長さ調節可能な棒（５）を有する装置。
【請求項４】
使用者の左右の足のかかと同士が接近することにより、両足が使用者から見て「Ｖ」の字形に開いた位置で仮固定されるように、左右の足の親指同士の間で間隔を開けてつなぐことのできる骨盤・脊椎骨の矯正器具であって、
長さ調節可能な棒（５１）と
使用者の左右の足の親指と連結可能な末端部（５２）
を有することを特徴とする骨盤・脊椎骨の矯正器具（５）。
【発明の詳細な説明】
【技術分野】
【０００１】
本発明は、骨盤・脊椎骨の歪み・ズレ・傾き・開きなどを矯正する矯正装置に関するものである。
【背景技術】
【０００２】
骨盤や脊椎骨に歪み・ズレ・傾き・開きなどがあると、姿勢や血行が悪くなり、腰痛の原因となりやすい。現代人は、長時間同じ姿勢を取り続けたり、運動が不足しがちであったりすることが多く、その結果、骨盤や脊椎骨に異常をきたして腰痛や椎間板ヘルニアに悩まされている人が多い。
【０００３】
これを矯正する目的で、本出願人は、「左右の足が使用者から見て「ハ」の字形に開くように、左右の足の親指同士を接近させることのできる接近手段を有する器具」を提案した（特開２０１６―５４７６３［特許第６２６５８６９号］）。
【先行技術文献】
【特許文献】
【０００４】
【特許文献１】特開２０１６―５４７６３（特許第６２６５８６９号）
【発明の概要】
【発明が解決しようとする課題】
【０００５】
大多数の人は両足が外向きであるので、上記先願発明の器具で足がまっすぐになり治療効果がある。しかし、世の中には、右足が外向きで左足が内向き、両足が内向き、右足が内向きで左足が外向き、右足が内向きで左足が正常など、上記先願発明の器具を使用しにくい人たちがいる。
【０００６】
上記先願発明は親指同士を「ハ」の字型に接近させることにより骨盤・脊椎骨の矯正するものであるが、同じ目的は左右の足のかかと同士を「Ｖ」字形に接近させることでも達成されることが分かった。
【０００７】
そこで、本発明は、親指同士を接近させるだけでなく、かかと同士を接近させることも可能な骨盤・脊椎骨の矯正装置を提供し、上記先願発明の器具を使用しにくい人たちにも使用してもらえるようにすることを目的とする。
【課題を解決するための手段】
【０００８】
本発明の骨盤・脊椎骨の矯正装置は、左右の足が使用者から見て「ハ」の字形に開くように、左右の足の親指同士を接近させることのできると共に、使用者から見て「Ｖ」の字形に開くように、左右の足のかかと同士を接近させることもできる接近手段と、この接近手段を前記「ハ」の字形及び前記「Ｖ」の字形の位置において選択的に仮固定することのできる手段を有することを特徴とする（請求項１）。ここで「接近」とは、物理的な接触状態はもちろん互いに２〜３ｃｍ程度離れている場合も含む。
【０００９】
好ましくは、請求項１記載の装置は、台座２と、この台座２の上でスライド可能な足置き台３と、この足置き台３の位置と角度を制御するための調節部材４からなり、前記台座２は、水平部分２１と垂直部分２２からなり、前記水平部分２１には足置き台３がスライド可能な水平レール２３が設けられ、前記垂直部分２２にも垂直レール２５が設けられており、この垂直レールには、前記調節部材４が移動できる長穴２６が設けられている（請求項２）。
【００１０】
さらに好ましくは、足置き台３の角度を確実に固定するための付属品として、使用者の親指又は足置き台３の壁に装着可能な長さ調節可能な棒５を有することである（請求項３）。
【００１１】
本発明は別態様では、使用者の左右の足のかかと同士が接近することにより、両足が使用者から見て「Ｖ」の字形に開いた位置で仮固定されるように、左右の足の親指同士の間で間隔を開けてつなぐことのできる骨盤・脊椎骨の矯正器具であって、長さ調節可能な棒５１と使用者の左右の足の親指と連結可能な末端部を有することを特徴とする（請求項４）。前記末端部は例えば足の親指を入れることのできるリング５２やサックである。
【発明の効果】
【００１２】
本発明請求項１の矯正装置によれば、左右の足が使用者から見て「ハ」の字形又は「Ｖ」字形に開くことができるので、骨盤・脊椎骨の歪み・ズレ・傾き・開きなどが矯正される。骨盤・脊椎骨の矯正を通じて、腰痛の軽減・予防、血行の改善、さらには蟹股・Ｏ脚の改善効果が得られる。
【００１３】
請求項２はそのような矯正装置の具体例である。足置き台の位置と角度を左右の足それぞれについて独立に微調整できるので、正常な姿勢の人は勿論、姿勢に異常のある人でも使用することができる。請求項３はこの装置の付属品であり、足置き台の位置を固定するのに役立つ。
【００１４】
請求項４は、使用者の両足が使用者から見て「Ｖ」の字形に開いた位置で仮固定されるように、左右の足の親指同士の間で間隔を開けてつなぐことのできる器具である。この器具は、請求項１〜３の装置と共に使用することができるだけでなく、独立して単体で使用することもできる。
【図面の簡単な説明】
【００１５】
【図１】本発明の第１実施例の矯正装置の斜視図である。
【図２】同矯正装置の展開斜視図である。
【図３】同矯正装置の（ａ）正面図、（ｂ）側面図、（ｃ）背面図、（ｄ）縦断面図、（ｅ）分解した状態の縦断面図である。
【図４】同矯正装置の（ａ）非使用時の位置、（ｂ）足を「Ｖ」の字型に開いた位置、（ｃ）足を「ハ」の字型に開いた位置、を表す正面図である。
【図５】同矯正装置において使用する付属品の（ａ）は正面図、（ｂ）は平面図、（ｃ）は横断面図、（ｄ）は側面図、（ｅ）は（ｂ）のｅ−ｅ断面図、（ｆ）は（ｂ）のｆ−ｆ断面図である。
【図６】同矯正装置において使用する付属品を取り付けた状態で「Ｖ」の字型に開いた状態の正面図である。
【図７】同矯正装置において使用する付属品の（ａ）は正面図、（ｂ）は平面図、（ｃ）は横断面図、（ｄ）は側面図、（ｅ）は（ｂ）のｅ−ｅ断面図、（ｆ）は（ｂ）のｆ−ｆ断面図である。
【図８】同矯正装置において使用する付属品を取り付けた状態で「ハ」の字型に開いた状態の正面図である。
【発明を実施するための形態】
【００１６】
以下、添付の図面に基づいて、本発明の実施例を説明する。
【実施例１】
【００１７】
この実施例の矯正装置１は原則的に人が横になった姿勢で使用するものである。図１、２に示すように、この装置１は、断面Ｌ字形の細長い台座２と、その台座２の上でスライド可能な足置き台３と、この足置き台３の位置と角度を制御するための調節部材４からなる。
【００１８】
台座２は、水平部分２１と垂直部分２２からなる。水平部分２１には足置き台３がスライド可能なレール２３が設けられている。水平レール２３は左右を低い壁２４に囲まれた溝である。垂直部分２２にもレール２５が設けられており、この垂直レールには調節部材４が移動できる長穴２６が設けられている。
【００１９】
足置き台３は使用者が足を入れるための容器であり、底部３１と壁３２を有する。形状は、靴を前後方向に半分に切ったときの、後ろ半分のようなものである。左右の足が入れられるように２個設ける（図３、図４参照）。
【００２０】
調節部材４は左右の足置き台３のそれぞれに１個配置されているので、全体で２個使用されている。
【００２１】
調節部材４は、図２、図３に示すように、足置き台３側の第１固定具４１と、垂直部分２２側の第２固定具４２と、調節部材４の移動や角度変更を調節する調節ネジ４３からなる。
【００２２】
第１固定具４１は、足置き台３の底部３１、すなわちかかとの下の足裏が接触する部分に取り付けられる円板であり、固定ネジ４４で取り付けられる。この円板が足置き台３の窪み３３から抜け落ちないように、長穴側の直径は小さく設定されている。
【００２３】
第２固定具４２は、固定ネジ４４を垂直部分２２の裏側から支持する円板である。第２固定具４２には、雄ネジ４３１である調節ネジ４３を受け入れるため雌ねじ４２１が設けられている。
【００２４】
調節ネジ４３は、調節部材４の移動や角度変更を調節するためのもので、調節つまみ４３２と、その先端の雄ネジ４３１からなる。垂直部分の長穴２６を移動するのはこの雄ネジ４３１の一部分である。この雄ネジ４３１は調節つまみ４３２により締め方を緩めたり、硬くしたりすることで、足置き台３の水平方向位置（図３（ｄ）参照）や足置き台先端の角度（図３（ａ）参照）を固定することができる。
【００２５】
この矯正装置１を使用するには、使用者が横になって、両足を足置き台３に入れる（図４（ａ））。両足のかかと同士を接近させた「Ｖ」字形とするときには図４（ｂ）の位置に設定し、ここで調節ネジ４３２を締めて固定する。両足の親指同士を接近させた「ハ」の字形とするときには図４（ｃ）の位置に設定し、ここで調節ネジ４３２を締めて固定する。「ハ」の字形を構成する両足の開度（θ１）及び「Ｖ」字形を構成する両足の開度（θ２）は３０度〜７０度となるように設定するのが好ましい。それぞれの位置を解除したり、再設定したりするときには調節ネジ４３２を緩めて、適当な位置で締め直せばよい。
【００２６】
この装置を使用すると、左右の足が使用者から見て「ハ」の字形又は「Ｖ」字形に開くことができる。どちらの形であっても、両太ももに力が入り、背中とベッドの間に少し隙間ができるのが感じられるであろう。背骨がＳ字形となって、自然に姿勢が矯正されるのである。１日３０分間程度横になってこの姿勢を取るだけで効果は十分得られることが発明者による実験で判明している。
【実施例２】
【００２７】
長期間にわたって使用していると、調節ネジ４３が緩くなって効きが悪くなるかもしれない。そのようなときには、足置き台３の位置固定具５を使用することができる。
【００２８】
位置固定具５は、図５、図６に示すように、長さ調節が可能な棒５１であり、その両端にはリング５２が設けられている。リング５２の中に使用者が親指を差し込むとともに、間隔を開けて親指同士の間をつなぐ。このようにして、両足を「Ｖ」字形に仮固定することができる。
【００２９】
長さ調節が可能な棒５１は、例えば物干し竿やカーテン用の竿などによく見られる入れ子５３の構造を採用することができる。リング５２の角度を変更可能とするため、リング５２にも調節ネジ５４を設けている。
【００３０】
この実施例の長さ調節が可能な棒５１は、実施例１の装置から独立してこれだけを使って同じ効果を得ることができる。実施例１の装置を持ち運びできないときでも、この棒５１だけを使用して同じ効果が得られるので便利である。
【実施例３】
【００３１】
図７、図８は位置固定具５Ａの別の実施例である。
【００３２】
位置固定具５Ａは、図７、図８に示すように、長さ調節が可能な棒５１Ａであり、その両端には足置き台３に固定するための爪５２Ａを有する。長さ調節が可能な棒５１Ａは、例えば物干し竿などによく見られる入れ子５３Ａの構造を採用することができる。足置き台３に固定するための爪５２Ａは、例えば足置き台３の壁３２をつかむ断面「コ」の字形のものとすることができる。爪５２Ａの角度を変更可能とするため、爪５２Ａにも調節ネジ５４Ａを設けている。
【符号の説明】
【００３３】
１     矯正装置
２     台座
２１   水平部分
２２   垂直部分
２３   水平レール
２４   壁
２５   垂直レール
２６   長穴
３     足置き台
３１   底部
３2    壁
４     調節部材
４１   固定具
４２   固定具
４３   調節ネジ
４３１ 雄ネジ
４３２ 調節ネジ
４４   固定ネジ
５     位置固定具
５１   棒
５２   爪
５２Ａ  リング
５３，５３Ａ  入れ子
５４，５４Ａ  調節ネジ
【図１】
2019150420.tif 000003
【図２】
2019150420.tif 000004
【図３】
2019150420.tif 000005
【図４】
2019150420.tif 000006
【図５】
2019150420.tif 000007
【図６】
2019150420.tif 000008
【図７】
2019150420.tif 000009
【図８】
2019150420.tif 000010